【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
ティッシュまたはタオルのために好適なローション処理された基材であって、
（ａ）セルロース系のウェブと、
（ｂ）室温で実質的に液状であり、前記ウェブの上に半固形または固形の状態で固定される、マイクロエマルションと、
を含み、
前記マイクロエマルションが、極性軟化剤と、非極性軟化剤と、共界面活性剤と、ノニオン性界面活性剤と、を含む、ローション処理された基材。
【請求項２】
前記マイクロエマルションが、実質的にウォーターレスのマイクロエマルションである、請求項１に記載のローション処理された基材。
【請求項３】
前記極性軟化剤が、プロピレングリコール、グリコール、グリセロール、ソルビトール、ジエチレングリコール、メチレングリコール、ポリプロピレングリコールおよびポリエチレングリコールから選択される極性ポリヒドロキシ軟化剤を含み、
前記非極性軟化剤が、芳香族または直鎖状エステル、ゲルベエステル、鉱油、スクアラン、スクアレン、および流動パラフィンから選択される、請求項１または２に記載のローション処理された基材。
【請求項４】
前記マイクロエマルションが主として、軟化剤と、ＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエート、および約１０から約２０個の繰り返しエトキシ単位を有するエトキシル化メチルグルコースから選択されるノニオン性界面活性剤と、を含む、請求項１，２または３のいずれか１項に記載のローション処理された基材。
【請求項５】
該界面活性剤組成物が、Ｃ１２−Ｃ１８脂肪アルコール、ベヘニルアルコール、イソセチルアルコールおよびイソステアリルアルコールから選択される脂肪アルコール共界面活性剤を含む、請求項１，２または３のいずれか１項に記載のローション処理された基材。
【請求項６】
前記ウェブが、乾燥繊維の約０．１重量％から約２５重量％の量のマイクロエマルションを用いて処理される、請求項１，２または３のいずれか１項に記載のローション処理された基材。
【請求項７】
前記マイクロエマルションが、２，４，４’−トリクロロ−２’−ヒドロキシジフェニルエーテル、３，４，４’−トリクロロカルバニリド、３，４，４’−トリフルオロメチル−４，４’−ジクロロカルバニリド、５−クロロ−２−メチル−４−イソチアゾリン−３−オン、ヨードプロピンルブチルカルバメート、８−ヒドロキシキノリン、８−ヒドロキシキノリンクエン酸塩、８−ヒドロキシキノリン硫酸塩、４−クロロ−３，５−キシレノール、２−ブロモ−２−ニトロプロパン−１，３−ジオール、ブトコナゾール、ナイスタチン、テルコナゾール、ニトロフラントイン、フェナゾピリジン、アシクロビル、クロルトリマゾール、クロロキシレノール、クロルヘキシジン、クロルヘキシジングルコネート、ミコナゾール、テルコナゾール、ブチルパラベン、エチルパラベン、メチルパラベン、メチルクロロイソチアゾリン、メチルイソチアゾリンおよびそれらの混合物から選択される抗菌剤をさらに含む、請求項１，２または３のいずれか１項に記載のローション処理された基材。
【請求項８】
前記マイクロエマルションが、香料、保存料、医療薬剤、湿潤剤、天然治療油、植物抽出物、天然または合成の粉体、および鎮静剤の群より選択された添加物をさらに含む、請求項１，２または３のいずれか１項に記載のローション処理された基材。
【請求項９】
該ウォーターレスマイクロエマルションが、水と接触したときに水性マイクロエマルションを形成することが可能である、請求項１，２または３のいずれか１項に記載のローション処理された基材。
【請求項１０】
該ウォーターレスマイクロエマルションが、水と接触したときに水性ゲルを形成することが可能である、請求項１，２または３のいずれか１項に記載のローション処理された基材。
【請求項１１】
該ウォーターレスマイクロエマルションが、ＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエート、および約１０から約２０個の繰り返しエトキシ単位を有するエトキシル化メチルグルコースから選択されるノニオン性界面活性剤を含む、請求項９または１０に記載のローション処理された基材。
【請求項１２】
該共界面活性剤が、Ｃ１２−Ｃ１８脂肪アルコール、ベヘニルアルコール、イソセチルアルコールおよびイソステアリルアルコールから選択される脂肪アルコールである、請求項１１に記載のローション処理された基材。
【請求項１３】
ティッシュまたはタオルのために好適なローション処理された基材を製造する方法であって、
（ａ）極性軟化剤および非極性軟化剤、さらにはノニオン性界面活性剤を含む界面活性剤組成物を含むローションエマルションを調製する工程と、
（ｂ）前記ローションエマルションを用いてセルロース系のウェブを処理する工程と、
を含み、
前記軟化剤組成物および界面活性剤組成物が、前記ローションエマルションがタオルウェブの上に半固形または固形の状態で固定されるように選択され、
前記ローションエマルションが水と接触したときに水性ゲルを形成することが可能である、ローション処理された基材を製造する方法。
【請求項１４】
前記ローションエマルションが、スプレー法または捺染法によって前記ウェブに適用される、請求項１３に記載のローション処理された基材を製造する方法。
【請求項１５】
前記軟化剤組成物が、
プロピレングリコール、グリコール、グリセロール、ソルビトール、ジエチレングリコール、メチレングリコール、ポリプロピレングリコールおよびポリエチレングリコールから選択される極性ポリヒドロキシ軟化剤と、
芳香族または直鎖状エステル、ゲルベエステル、鉱油、スクアラン、スクアレン、および流動パラフィンから選択される非極性軟化剤と、
を含む、請求項１３または１４に記載のローション処理された基材を製造する方法。
【請求項１６】
前記界面活性剤組成物が、ＰＥＧ−２０メチルグルコースセスキステアレート、ＰＰＧ−２０メチルグルコースエーテル、ＰＰＧ−２０メチルグルコースエーテルジステアレート、ＰＥＧ−２０メチルグルコースジステアレート、ＰＥＧ−１２０メチルグルコースジオレエート、および約１０から約２０個の繰り返しエトキシ単位を有するエトキシル化メチルグルコースから選択されるノニオン性界面活性剤を含む、請求項１３，１４または１５のいずれか１項に記載のローション処理された基材を製造する方法。
【請求項１７】
前記界面活性剤組成物が、Ｃ１２−Ｃ１８脂肪アルコール、ベヘニルアルコール、イソセチルアルコール、およびイソステアリルアルコールから選択される共界面活性剤を含む、請求項１６に記載のローション処理された基材を製造する方法。
【請求項１８】
前記ローションエマルションが、保存料、医療薬剤、湿潤剤、香料、天然治療油、植物抽出物、天然または合成の粉体、および鎮静剤の群より選択された添加物をさらに含む、請求項１６または１７に記載のローション処理された基材を製造する方法。
【請求項１９】
前記セルロース系のウェブを、乾燥繊維の約０．１重量％から約２５重量％の量のローションエマルションを用いて処理する工程を含む、請求項１６，１７または１８のいずれか１項に記載のローション処理された基材を製造する方法。